(57)【要約】      （修正有）【課題】複数の絶縁電線を有する平型電線において、絶縁電線同士を絶縁状態で分離できる平型電線の分離装置を提供する。【解決手段】長尺の第一部材１０と、長尺の第二部材２０と、第一部材及び第二部材の一端部同士を回動自在に繋ぐ連結部３０とを備え、第一部材の他端部は、複数の絶縁電線が横並びの状態で一体化された平型電線の表面側を支持する第一溝部１４と、第一溝部の底部から突出し、第一溝部の長手方向に沿って配置される刃部１５とを備え、第二部材の他端部は、平型電線の裏面側を支持する第二溝部を備え、第二溝部は、第一部材の他端部と第二部材の他端部とを閉じた状態において、刃部の先端が収納される凹部を備える。【選択図】図１
0003222156.tif 000002
【実用新案登録請求の範囲】
【請求項１】
長尺の第一部材と、
長尺の第二部材と、
前記第一部材及び前記第二部材の一端部同士を回動自在に繋ぐ連結部とを備え、
前記第一部材の他端部は、
複数の絶縁電線が横並びの状態で一体化された平型電線の表面側を支持する第一溝部と、
前記第一溝部から突出するように前記第一溝部の長手方向に沿って配置される刃部とを備え、
前記第二部材の他端部は、前記平型電線の裏面側を支持する第二溝部を備え、
前記第二溝部は、前記第一部材の他端部と前記第二部材の他端部とを閉じた状態において、前記刃部の先端が収納される凹部を備える、
平型電線の分離装置。
【請求項２】
前記第一溝部及び前記第二溝部は、前記刃部に対応する箇所が部分的に拡幅された領域を備える請求項１に記載の平型電線の分離装置。
【請求項３】
前記第一部材及び前記第二部材の他端部同士を離反させる方向に付勢する弾性部材を備える請求項１又は請求項２に記載の平型電線の分離装置。
【請求項４】
前記第一溝部及び前記第二溝部は、前記第一部材及び前記第二部材の長手方向に沿って設けられている請求項１から請求項３のいずれか１項に記載の平型電線の分離装置。
【請求項５】
前記第一部材及び前記第二部材の他端部同士を離反させる方向に付勢する弾性部材を備え、
前記弾性部材は、前記第一溝部及び前記第二溝部の長手方向の軸線からずれた位置に複数設けられ、
前記連結部は、前記軸線からずれた位置に設けられている請求項４に記載の平型電線の分離装置。
【請求項６】
前記第一部材は、
第一本体部と、
前記第一溝部を有する第一取付片とを備え、
前記第一取付片は、前記第一本体部に対して着脱自在に取り付けられ、
前記第二部材は、
第二本体部と、
前記第二溝部を有する第二取付片とを備え、
前記第二取付片は、前記第二本体部に対して着脱自在に取り付けられる請求項１から請求項５のいずれか１項に記載の平型電線の分離装置。
【請求項７】
前記刃部は、頂点を挟む両側に切刃稜線を備える先鋭状に構成されている請求項１から請求項６のいずれか１項に記載の平型電線の分離装置。
【考案の詳細な説明】
【技術分野】
【０００１】
本開示は、平型電線の分離装置に関する。
【背景技術】
【０００２】
被覆部を有するケーブルにおいて、被覆部を除去する装置が種々開示されている。例えば、特許文献１には、内皮で被覆された複数の電線が外皮で一体化された被覆線において、外皮のみを除去する装置が開示されている。また、特許文献２には、被覆（内被）を有する複数の単一光ファイバーが横並びの状態で外被により一体化された光ファイバーケーブルにおいて、外被のみを除去する装置が開示されている。
【先行技術文献】
【特許文献】
【０００３】
【特許文献１】実開昭５９−５０５２０号公報
【特許文献１】特開平１−１１２２０５号公報
【考案の概要】
【考案が解決しようとする課題】
【０００４】
導体の外周に絶縁層（被覆部）を有する複数の絶縁電線が横並びの状態で一体化された平型電線において、絶縁電線同士を分離したいというニーズがある。しかし、被覆部を有したままの絶縁状態で絶縁電線同士を分離する好適な装置は提案されていない。例えば、特許文献１では、外皮を除去した後は、内皮をニッパー等で剥離している。また、特許文献２では、外被を除去した後、内被（被覆部）を有する単一光ファイバー同士を手で引き裂いている。手で引き裂くと、被覆部が損傷するおそれがある。
【０００５】
そこで、本開示は、複数の絶縁電線を有する平型電線において、絶縁電線同士を絶縁状態で分離できる平型電線の分離装置を提供することを目的の一つとする。
【課題を解決するための手段】
【０００６】
本開示の平型電線の分離装置は、
長尺の第一部材と、
長尺の第二部材と、
前記第一部材及び前記第二部材の一端部同士を回動自在に繋ぐ連結部とを備え、
前記第一部材の他端部は、
複数の絶縁電線が横並びの状態で一体化された平型電線の表面側を支持する第一溝部と、
前記第一溝部から突出するように前記第一溝部の長手方向に沿って配置される刃部とを備え、
前記第二部材の他端部は、前記平型電線の裏面側を支持する第二溝部を備え、
前記第二溝部は、前記第一部材の他端部と前記第二部材の他端部とを閉じた状態において、前記刃部の先端が収納される凹部を備える。
【考案の効果】
【０００７】
本開示の平型電線の分離装置は、複数の絶縁電線を有する平型電線において、絶縁電線同士を絶縁状態で分離できる。
【図面の簡単な説明】
【０００８】
【図１】図１は、実施形態の平型電線の分離装置を示す概略斜視図である。
【図２】図２は、実施形態の平型電線の分離装置に備わる第二部材を示す概略構成図である。
【図３】図３は、実施形態の平型電線の分離装置について、刃部を露出した状態を示す側面図である。
【図４】図４は、図３の（ＩＶ）−（ＩＶ）線で切断した断面図である。
【図５】図５は、図４の破線で囲む領域Ａの拡大図である。
【図６】図６は、実施形態の平型電線の分離装置を開放端側から見た概略構成図である。
【図７】図７は、実施形態の平型電線の分離装置を用いて分離する平型電線を示す模式図である。
【考案を実施するための形態】
【０００９】
［本考案の実施形態の説明］
最初に、本考案の実施形態の内容を列記して説明する。
【００１０】
（１）本開示に係る平型電線の分離装置は、
長尺の第一部材と、
長尺の第二部材と、
前記第一部材及び前記第二部材の一端部同士を回動自在に繋ぐ連結部とを備え、
前記第一部材の他端部は、
複数の絶縁電線が横並びの状態で一体化された平型電線の表面側を支持する第一溝部と、
前記第一溝部から突出するように前記第一溝部の長手方向に沿って配置される刃部とを備え、
前記第二部材の他端部は、前記平型電線の裏面側を支持する第二溝部を備え、
前記第二溝部は、前記第一部材の他端部と前記第二部材の他端部とを閉じた状態において、前記刃部の先端が収納される凹部を備える。
【００１１】
本開示の平型電線の分離装置（以下、単に分離装置と呼ぶことがある）は、第一溝部の底部に刃部を備え、かつ第二溝部に刃部の先端が収納される凹部を備える。よって、第一溝部及び第二溝部によって平型電線を支持した状態で、第一部材の他端部と第二部材の他端部とを閉じると、刃部が絶縁電線間に突き刺さる。この刃部によって、本開示の平型電線の分離装置は、平型電線における絶縁電線同士を絶縁状態で分離できる。
【００１２】
（２）本開示の平型電線の分離装置の一例として、
前記第一溝部及び前記第二溝部は、前記刃部に対応する箇所が部分的に拡幅された領域を備える形態が挙げられる。
【００１３】
第一溝部及び第二溝部によって平型電線を支持した状態で、第一部材の他端部と第二部材の他端部とを閉じると、刃部が絶縁電線間に突き刺さる。第一溝部及び第二溝部のうち刃部に対応する箇所に拡幅された拡幅領域を備えることで、絶縁電線間に刃部が突き刺さり易い。隣り合う絶縁電線のうち刃部が突き刺さった領域は、刃部の厚みに対応して押し広げられる。そのため、第一溝部及び第二溝部に拡幅領域を備えることで、押し広げられた分を第一溝部及び第二溝部内で逃がすことができる。これにより、分離装置に対する平型電線の相対的な移動を円滑に行うことができる。
【００１４】
（３）本開示の平型電線の分離装置の一例として、
前記第一部材及び前記第二部材の他端部同士を離反させる方向に付勢する弾性部材を備える形態が挙げられる。
【００１５】
弾性部材を備えることで、第一部材の他端部と第二部材の他端部とは、平型電線を分離しない通常時は開いた状態になる。よって、第一溝部及び第二溝部に平型電線を配置し易い。また、平型電線を分離する際に第一部材及び第二部材の他端部に互いに近接させる力を付与し、平型電線を分離した後は上記力を開放するだけで他端部同士を開くことができる。よって、弾性部材を備える分離装置は、平型電線を分離する作業を行い易い。
【００１６】
（４）本開示の平型電線の分離装置の一例として、
前記第一溝部及び前記第二溝部は、前記第一部材及び前記第二部材の長手方向に沿って設けられている形態が挙げられる。
【００１７】
上記構成によれば、平型電線の長手方向が第一部材及び第二部材の長手方向に沿うことになる。よって、分離装置と平型電線との相対的な移動が第一部材及び第二部材の長手方向に沿うことになる。そのため、本開示の平型電線の分離装置は、第一溝部及び第二溝部の長さを長く確保し易く、平型電線の長手方向に沿った絶縁電線間の分離長さを長くし易い。
【００１８】
（５）第一溝部及び第二溝部が第一部材及び第二部材の長手方向に沿って設けられている本開示の平型電線の分離装置の一例として、
前記第一部材及び前記第二部材の他端部同士を離反させる方向に付勢する弾性部材を備え、
前記弾性部材は、前記第一溝部及び前記第二溝部の長手方向の軸線からずれた位置に複数設けられ、
前記連結部は、前記軸線からずれた位置に設けられている形態が挙げられる。
【００１９】
第一溝部及び第二溝部が第一部材及び第二部材の長手方向に沿って設けられていると、平型電線の長手方向が第一部材及び第二部材の長手方向に沿うことになる。第一部材及び第二部材の一端部には連結部を備え、更には弾性部材を備える。この場合、連結部及び弾性部材が上記軸線からずれた位置に設けられていることで、連結部や弾性部材が分離装置に対する平型電線の相対的な移動の邪魔になることを抑制できる。言い換えると、連結部及び弾性部材に当たることなく、平型電線を第一部材及び第二部材の一端部から他端部にわたって配置することができる。よって、平型電線の長手方向に沿った絶縁電線間の分離長さが長い場合であっても、容易に分離することができる。
【００２０】
（６）本開示の平型電線の分離装置の一例として、
前記第一部材は、
第一本体部と、
前記第一溝部を有する第一取付片とを備え、
前記第一取付片は、前記第一本体部に対して着脱自在に取り付けられ、
前記第二部材は、
第二本体部と、
前記第二溝部を有する第二取付片とを備え、
前記第二取付片は、前記第二本体部に対して着脱自在に取り付けられる形態が挙げられる。
【００２１】
第一取付片が第一本体部に対して着脱自在であり、第二取付片が第二本体部に対して着脱自在であることで、平型電線の外形や大きさに対応した第一溝部及び第二溝部を備える分離装置とできる。本開示の平型電線の分離装置は、第一取付片及び第二取付片を付け替えることで、種々の平型電線に対しても絶縁電線同士を絶縁状態で容易に分離できる。
【００２２】
（７）本開示の平型電線の分離装置の一例として、
前記刃部は、頂点を挟む両側に切刃稜線を備える先鋭状に構成されている形態が挙げられる。
【００２３】
刃部が上記先鋭状に構成されていると、頂点を挟む両側の切刃稜線のそれぞれを絶縁電線間の切断に使用できる。平型電線における絶縁電線同士の分離は、基本的に、絶縁電線間に刃部を突き刺した状態で、分離装置に対する平型電線の相対的な移動が一方向となるように行う。よって、分離装置の使用初期から刃部の切れ味が悪くなるまで一方の切刃稜線で絶縁電線間を切断することになる。その一方の切刃稜線の切れ味が悪くなった際は、刃部の表裏をひっくり返すことで、他方の切刃稜線で絶縁電線間を切断することができる。つまり、刃部が上記先鋭状に構成されていると、分離装置の使用初期から長期にわたって単一の刃部を使用することができる。
【００２４】
［本考案の実施形態の詳細］
本考案の実施形態の平型電線の分離装置を、以下に図面を参照しつつ説明する。図中の同一符号は同一名称物を示す。図１では、実施形態の平型電線の分離装置１（以下、単に分離装置１と呼ぶことがある）について、第一部材１０の他端部１０ｂと第二部材２０の他端部２０ｂとが開いた状態を示す。また、図１では、分離装置１を第二部材２０の裏面側から見た状態を示す。図３では、第一部材１０の他端部１０ｂと第二部材２０の他端部２０ｂとが閉じた状態を示す。また、図３では、第一部材１０における第一本体部１１の分割片１１ｐを外した状態を示す。図４では、分割片１１ｐを装着した状態を示す。図６では、第一部材１０の他端部１０ｂと第二部材２０の他端部２０ｂとが開いた状態を示す。図７では、平型電線１００の先端部において、絶縁電線１１０が分離された状態を模式的に示す。よって、図７では、図３及び図４で示す絶縁電線１１０と若干外形が異なる。以下の説明では、第一部材１０と第二部材２０とが閉じた状態において、第一部材１０と第二部材２０とが並ぶ方向を高さ方向と呼ぶ。また、第一部材１０及び第二部材２０の長手方向と高さ方向の双方に直交する方向を幅方向と呼ぶ。
【００２５】
実施形態の平型電線の分離装置１は、複数の絶縁電線１１０が横並びの状態で一体化された平型電線１００（図７）において、絶縁電線１１０同士を絶縁状態で分離する装置である。以下では、まず平型電線１００の構成について説明し、その後に平型電線の分離装置１の構成、及びその分離装置１の使用方法について説明する。
【００２６】
＜平型電線＞
平型電線１００は、図７に示すように、複数（本例では２つ）の絶縁電線１１０を備える。平型電線１００は、複数の導体１１１が横並びされた状態で、これら導体１１１の外周が絶縁層１１２で一括して覆われることで構成される。平型電線１００は、複数の絶縁電線１１０の外周を更に覆う外被１１３を備える。外被１１３は、公知の外被除去装置（例えば、特許文献１や特許文献２に記載の装置）を用いて除去される。平型電線１００のうち、外被１１３が除去された領域（以下、この領域を平型電線１００と呼ぶ）は、長手方向と直交する方向で切断した切断面が円弧を有する扁平な形状である。
【００２７】
平型電線１００は、例えば、絶縁電線１１０の並び方向に沿った長さ（幅）が６ｍｍ以下であることが挙げられる。また、平型電線１００は、絶縁電線１１０の並び方向及び長手方向の双方に直交する方向に沿った最大長さ（厚み）が３ｍｍ以下であることが挙げられる。
【００２８】
平型電線１００において、絶縁電線１１０間の耐圧試験を行うことがある。この耐圧試験では、絶縁電線１１０間にある程度の距離を確保する必要がある。実施形態の平型電線の分離装置１は、導体１１１の外周に絶縁層１１２を有した状態の絶縁電線１１０同士をある程度の長さにわたって分離する。分離された絶縁電線１１０はいずれも、導体１１１と、導体１１１の外周に設けられる絶縁層１１２とを備える。
【００２９】
＜平型電線の分離装置＞
実施形態の平型電線の分離装置１は、図１〜図６に示すように、長尺の第一部材１０と、長尺の第二部材２０と、連結部３０とを備える。連結部３０は、第一部材１０の一端部１０ａと第二部材２０の一端部２０ａとを回動自在に繋ぐ。本例の分離装置１は、更に、弾性部材４０を備える。弾性部材４０は、第一部材１０の他端部１０ｂと第二部材２０の他端部２０ｂとを離反させる方向に付勢する。分離装置１は、第一部材１０の他端部１０ｂと第二部材２０の他端部２０ｂとが開閉自在のホッチキス形状に構成されている（図１を参照）。実施形態の平型電線の分離装置１は、第一部材１０の他端部１０ｂに、第一溝部１４と刃部１５とを備え、第二部材２０の他端部２０ｂに、第二溝部２４（図２）と凹部２５（図２）とを備える点を特徴の一つとする。
【００３０】
〔第一部材〕
第一部材１０は、長尺部材から構成される。本例の第一部材１０は、四角柱部材で構成される。第一部材１０は、一端部１０ａと他端部１０ｂとを備える。第一部材１０の一端部１０ａは、後述する連結部３０を介して第二部材２０に連結される。第一部材１０の他端部１０ｂは、第二部材２０に対して開閉される。第一部材１０の他端部１０ｂは、第一溝部１４及び刃部１５を備える。本例では、第一溝部１４は、第一部材１０の長手方向に沿って設けられている。
【００３１】
本例では、第一部材１０は、第一本体部１１と第一取付片１２とを備える。第一取付片１２は、第一本体部１１に着脱自在である。
【００３２】
（第一本体部）
第一本体部１１は、第一部材１０のベースを構成し、第一部材１０の一端部１０ａから他端部１０ｂまで延びる。本例では、第一本体部１１の他端部１０ｂの一部が、着脱自在の分割片１１ｐで構成されている。分割片１１ｐは、第一本体部１１の幅方向の中央部において、第一本体部１１の長手方向に沿って分割される（図３を参照）。分割片１１ｐを外すと、刃部１５が取り付けられる取付部１１ｆが露出される。取付部１１ｆには、分割片１１ｐを取り付けるためのボルト穴と、刃部１５を取り付けるためのボルト穴とが形成されている。
【００３３】
分割片１１ｐは、刃部１５の取り付け等の作業の際に着脱される。分割片１１ｐは、幅方向に貫通する貫通孔を備える。取付部１１ｆに形成されたボルト穴と、分割片１１ｐに形成された貫通孔とにボルト１９を挿通してボルト締めする。このボルト締めにより、取付部１１ｆと分割片１１ｐとが一体化されて、第一部材１０が構成される。刃部１５は、取付部１１ｆと分割片１１ｐとで挟持される。
【００３４】
《刃部》
刃部１５は、図３に示すように、第一本体部１１に取り付けられる取付領域１５０と、取付領域１５０から第二部材２０側に突出する切刃領域１５１とを備える。刃部１５は、板状に構成されている。取付領域１５０には、表裏面に貫通する貫通孔が形成されている。第一本体部１１の取付部１１ｆに形成されたボルト穴と、刃部１５の取付領域１５０に形成された貫通孔とにボルト１５０ｂを挿通してボルト締めする。このボルト締めにより、第一本体部１１に刃部１５が取り付けられる。刃部１５は、第一本体部１１に対して着脱自在である。
【００３５】
刃部１５の切刃領域１５１は、第一溝部１４から突出するように第一溝部１４の長手方向に沿って配置される。切刃領域１５１の先端は、第一部材１０の他端部１０ｂと第二部材２０の他端部２０ｂとを閉じた状態において、後述する第二溝部２４の凹部２５に収納される。切刃領域１５１の突出量は、平型電線１００のサイズに対応して適宜選択できる。具体的には、切刃領域１５１の突出量は、第一部材１０の他端部１０ｂと第二部材２０の他端部２０ｂとを閉じた状態において、平型電線１００における絶縁電線１１０間を厚み方向に貫通可能な程度に適宜選択できる。
【００３６】
切刃領域１５１の突出量は、平型電線１００のサイズに対応した複数の刃部１５を用意し、平型電線１００のサイズごとに刃部１５を付け替えることで変えることができる。また、切刃領域１５１の突出量は、単一の刃部１５を用意し、刃部１５の取付領域１５０に形成された貫通孔を長孔とし、平型電線１００のサイズに対応して長孔内におけるボルト１５０ｂによる固定位置をずらすことで変えることができる。取付領域１５０に形成された貫通孔を長孔とする場合、刃部１５が長孔内で動くことを規制する機構を設けることが好ましい。
【００３７】
切刃領域１５１は、頂点を挟む両側に第一切刃稜線１５１ａと第二切刃稜線１５１ｂとを備える先鋭状に構成されていることが好ましい。そうすることで、切刃領域１５１は、頂点を挟む両側の切刃稜線１５１ａ，１５１ｂのそれぞれを切断に用いることができる。平型電線１００における絶縁電線１１０同士の分離は、基本的に、絶縁電線１１０間に刃部１５を突き刺した状態で、分離装置１に対する平型電線１００の相対的な移動が一方向となるように行う。よって、分離装置１の使用初期から刃部１５の切れ味が悪くなるまで一方の切刃稜線１５１ａで絶縁電線１１０間を切断することになる。切刃稜線１５１ａ，１５１ｂのそれぞれを切断に用いることができれば、一方の切刃稜線１５１ａの切れ味が悪くなった際は、刃部１５の表裏をひっくり返すことで、他方の切刃稜線１５１ｂで絶縁電線１１０間を切断することができる。
【００３８】
（第一取付片）
第一取付片１２は、第一本体部１１に着脱自在である。第一取付片１２は、図１及び図５に示すように、第一本体部１１における第二部材２０に対向する側に取り付けられる。第一取付片１２は、第一本体部１１にボルトによって取り付けられる。第一取付片１２は、第一溝部１４を備える。本例では、二つの第一取付片１２を備える。各第一取付片１２は、矩形状の板材で構成される。二つの第一取付片１２は、刃部１５を挟むように第一本体部１１に取り付けられる。各第一取付片１２は、互いに対向する角部に横断面形状が円弧状の切欠きが形成されている。第一溝部１４は、この切欠きによって構成される。
【００３９】
《第一溝部》
第一溝部１４は、図５に示すように、平型電線１００の表面側を支持する。第一溝部１４は、平型電線１００を長手方向に沿ってある程度の長さで支持することが好ましい。例えば、第一溝部１４の長さは、２５ｍｍ以上４５ｍｍ以下、更に２５ｍｍ以上３０ｍｍ以下であることが挙げられる。第一溝部１４の長さが上記範囲であれば、平型電線１００を良好に支持できる。
【００４０】
第一溝部１４の横断面の形状は、平型電線１００の外形に沿っていることが好ましい。第一溝部１４の横断面とは、第一溝部１４の長手方向と直交する方向に切断した断面である。第一溝部１４の横断面の形状は、半楕円形状であることが挙げられる。平型電線１００の横断面は、円弧を有する扁平な形状である。よって、第一溝部１４の形状が半楕円形状であることで、平型電線１００が第一溝部１４の内面に沿い易く、第一溝部１４内で平型電線１００が軸を中心に回転することを抑制し易い。
【００４１】
第一溝部１４における開口縁の幅は、平型電線１００の幅に対応している。そうすることで、第一溝部１４における開口縁によって、第一溝部１４内での平型電線１００の幅方向の移動を規制し易い。第一溝部１４の深さは、平型電線１００の厚みの半分程度の長さに略対応している。第一溝部１４の幅や深さは、平型電線１００のサイズに対応して適宜選択できる。
【００４２】
第一溝部１４は、刃部１５の切刃領域１５１が突出する箇所の近傍に部分的に拡幅された拡幅領域１４０を備えることが好ましい。拡幅領域１４０は、切刃領域１５１の頂点を中心にして長手方向に沿ってある程度の長さに形成される。平型電線１００における絶縁電線１１０間に刃部１５が突き刺さると、その突き刺さった領域は、刃部の厚みに対応して幅方向に押し広げられる。第一溝部１４に拡幅領域１４０を備えることで、押し広げられた分を第一溝部１４内で逃がすことができる。これにより、分離装置１に対する平型電線１００の相対的な移動を円滑に行うことができる。拡幅量は、刃部１５の厚みに対応して適宜選択できる。また、拡幅領域１４０の長さは、絶縁電線１１０間に突き刺さる切刃領域１５１の長さに対応して適宜選択できる。
【００４３】
〔第二部材〕
第二部材２０は、長尺部材から構成される。本例の第二部材２０は、四角柱部材で構成される。第二部材２０は、一端部２０ａと他端部２０ｂとを備える。第二部材２０の一端部２０ａは、後述する連結部３０を介して第一部材１０に連結される。第二部材２０の他端部２０ｂは、第一部材１０に対して開閉される。第二部材２０の他端部２０ｂは、第二溝部２４及び凹部２５を備える。本例では、第二溝部２４は、第二部材２０の長手方向に沿って設けられている。
【００４４】
本例では、第二部材２０は、第二本体部２１と第二取付片２２とを備える。第二取付片２２は、第二本体部２１に着脱自在である。
【００４５】
（第二本体部）
第二本体部２１は、第二部材２０のベースを構成し、第二部材２０の一端部２０ａから他端部２０ｂまで延びる。
【００４６】
（第二取付片）
第二取付片２２は、第二本体部２１に着脱自在である。第二取付片２２は、図１及び図５に示すように、第二本体部２１における第一部材１０に対向する側に取り付けられる。第二取付片２２は、矩形状の板材で構成される。第二取付片２２は、第二本体部２１にボルト２８によって取り付けられる。第二取付片２２は、図２に示すように、第二溝部２４を備える。本例では、一つの第二取付片２２を備え、第二取付片２２の幅方向の中央部に第二溝部２４を備える。第二溝部２４は、第一溝部１４に対向して設けられる。
【００４７】
《第二溝部》
第二溝部２４は、図５に示すように、平型電線１００の裏面側を支持する。第二溝部２４の構成は、第一溝部１４と同様である。第二溝部２４の長さ、幅、及び深さは、第一溝部１４に対応して設けられる。第二溝部２４は、第一溝部１４と同様に、刃部１５の切刃領域１５１が進入する箇所の近傍に部分的に拡幅された拡幅領域２４０を備えることが好ましい。第二溝部２４の底部には、凹部２５を備える。
【００４８】
《凹部》
凹部２５は、第一部材１０の他端部１０ｂと第二部材２０の他端部２０ｂとを閉じたときに、刃部１５の切刃領域１５１の先端（頂点）が収納される（図５を参照）。平型電線１００における絶縁電線１１０間を貫通した切刃領域１５１の先端が凹部２５に収納されることで、絶縁電線１１０間への切刃領域１５１の貫通を確実にできる。凹部２５の開口縁の形状は、刃部１５の切刃領域１５１の先端が凹部２５内に入ることができれば特に問わない。本例では、凹部２５の開口縁の形状は、円形である（図２を参照）。凹部２５の横断面の形状は、刃部１５の切刃領域１５１の先端が凹部２５に収納できれば特に問わない。本例では、凹部２５の横断面の形状は、矩形状である（図５を参照）。凹部２５の開口縁の幅や深さは、刃部１５の切刃領域１５１の先端が収納可能である程度に適宜選択できる。
【００４９】
〔連結部〕
連結部３０は、第一部材１０の一端部１０ａと第二部材２０の一端部２０ａとの間隔を保持した状態で、互いに回転自在に繋ぐ。連結部３０は、第二部材２０の一端部２０ａから第一部材１０側に突出する突片３２を備える。第一部材１０には、突片３２に対応した切欠き（図示せず）が設けられている。突片３２と切欠きとを嵌め合わせて、突片３２と第一部材１０の一端部１０ａとに回転軸３１（図１及び図３）を挿通することで、連結部３０を介して第一部材１０と第二部材２０とを回転自在に繋いでいる。連結部３０は、第一部材１０の他端部１０ｂと第二部材２０の他端部２０ｂとを閉じた状態において、第一溝部１４と第二溝部２４とが平行に対面できれば、突片３２と切欠きの嵌め合わせ以外の構成でもよい。
【００５０】
第一部材１０の一端部１０ａと第二部材２０の一端部２０ａとの間隔は、第一部材１０の一端部１０ａと第二部材２０の一端部２０ａとの間に平型電線１００が配置可能な程度に設けられる。本例の連結部３０は、第一溝部１４及び第二溝部２４の長手方向の軸線からずれた位置に設けられる。つまり、連結部３０は、第一部材１０及び第二部材２０の幅方向の中央部から幅方向にずれた側部に設けられる。本例では、連結部３０は、第一部材１０及び第二部材２０の幅方向の片側に一つ設けられる。
【００５１】
〔弾性部材〕
弾性部材４０は、第一部材１０の他端部１０ｂと第二部材２０の他端部２０ｂとを離反させる方向に付勢する機能を有する。弾性部材４０は、第一部材１０及び第二部材２０の長手方向の中間部に設けられる。本例の弾性部材４０は、第一溝部１４及び第二溝部２４の長手方向の軸線からずれた位置に設けられる。つまり、弾性部材４０は、第一部材１０及び第二部材２０の幅方向の中央部からずれた側部に設けられる。本例では、弾性部材４０は、第一部材１０及び第二部材２０の幅方向の両側に一つずつ設けられる。つまり、弾性部材４０は、第一溝部１４及び第二溝部２４の長手方向の軸線を挟むように二つ設けられる。上記軸線を挟んで二つの弾性部材４０を設けることで、第一部材１０の他端部１０ｂ及び第二部材２０の他端部２０ｂの幅方向に均等に力を付与し易い。弾性部材４０としては、コイルばねや板ばね等が挙げられる。本例の弾性部材４０は、圧縮ばねである。
【００５２】
＜平型電線の分離装置の使用方法＞
上述した分離装置１を用いて、平型電線１００における絶縁電線１１０同士を絶縁状態で分離する方法を、以下に説明する。まず、平型電線１００の先端が第二部材２０の一端部２０ａ側に位置するように、第二部材２０の他端部２０ｂ側から平型電線１００を第一部材１０及び第二部材２０の間に挿入する。そして、第二部材２０の第二溝部２４に平型電線１００を載置する。このとき、平型電線１００における絶縁電線１１０の並び方向が第一部材１０と第二部材２０とが対向する方向と直交する方向となるように、第二溝部２４に平型電線１００を載置する。刃部１５に対応する位置が分離の始点になる。そのため、分離する長さを考慮して平型電線１００を第一部材１０及び第二部材２０の間に挿入し、分離の始点となる位置に刃部１５が位置するように平型電線１００を第二溝部２４に載置する。
【００５３】
次に、第一部材１０の他端部１０ｂ及び第二部材２０の他端部２０ｂに互いに近接させる力を付与する。本例では、第一部材１０の他端部１０ｂを第二部材２０の他端部２０ｂに近接させるように力を付与する。そうすると、平型電線１００における第二溝部２４に支持されていない領域が、第一溝部１４によって支持されることになる。また、刃部１５が、平型電線１００における絶縁電線１１０間に突き刺さる。絶縁電線１１０間に突き刺さった刃部１５の先端は、絶縁電線１１０間を貫通して、第二溝部２４の凹部２５に収納される。
【００５４】
最後に、第一部材１０の他端部１０ｂと第二部材２０の他端部２０ｂとを閉じた状態で、平型電線１００を第一部材１０の他端部１０ｂ及び第二部材２０の他端部２０ｂ側から引抜く。その際、刃部１５の第一切刃稜線１５１ａにより絶縁電線１１０間の絶縁層１１２が切断される。そうすると、平型電線１００は、図７に示すように、平型電線１００の先端部において、絶縁電線１１０が絶縁状態で分離される。
【００５５】
＜作用効果＞
実施形態の平型電線の分離装置１は、第一部材１０の他端部１０ｂに、第一溝部１４及び刃部１５を備え、第二部材２０の他端部２０ｂに、第二溝部２４及び凹部２５を備える。よって、第一部材１０の他端部１０ｂと第二部材２０の他端部とを閉じると、第一溝部１４及び第二溝部２４によって平型電線１００を支持でき、平型電線１００における絶縁電線１１０間に刃部１５を突き刺すことができる。絶縁電線１１０間に突き刺さった刃部１５の先端は、凹部２５に収納される。このとき、第一溝部１４及び第二溝部２４のうち刃部１５に対応する箇所に拡幅された拡幅領域１４０，２４０を備えることで、絶縁電線１１０間に刃部１５が突き刺さり易い。また、拡幅領域１４０，２４０を備えることで、刃部１５の厚みに対応して絶縁電線１１０における幅方向に押し広げられた分を第一溝部１４及び第二溝部２４内で逃がすことができる。よって、拡幅領域１４０，２４０を備えることで、分離装置１に対する平型電線１００の相対的な移動を円滑に行うことができる。絶縁電線１１０間に刃部１５が突き刺さった状態で平型電線１００を分離装置１から引抜くことで、平型電線１００の先端部において、絶縁電線１１０同士を絶縁状態で分離できる。
【００５６】
上記分離装置１は、第一溝部１４及び第二溝部２４が第一部材１０及び第二部材２０の長手方向に沿って設けられている。この形態では、平型電線１００の長手方向が第一部材１０及び第二部材２０の長手方向に沿うことになり、分離装置１と平型電線１００との相対的な移動が第一部材１０及び第二部材２０の長手方向に沿うことになる。よって、第一溝部１４及び第二溝部２４の長さを長く確保し易く、平型電線１００の長手方向に沿った絶縁電線１１０間の分離長さを長くし易い。このとき、連結部３０及び弾性部材４０が第一溝部１４及び第二溝部２４の長手方向の軸線からずれた位置に設けられていることで、連結部３０や弾性部材４０が分離装置１に対する平型電線１００の相対的な移動の邪魔になることを抑制できる。よって、平型電線１００の長手方向に沿った絶縁電線１１０間の分離長さが長い場合であっても、容易に分離することができる。
【００５７】
特に、上記分離装置１は、第一溝部１４を備える第一取付片１２が第一本体部１１に対して着脱自在であり、第二溝部２４を備える第二取付片２２が第二本体部２１に対して着脱自在である。よって、平型電線１００の外形や大きさに対応した第一溝部１４及び第二溝部２４を備える第一取付片１２及び第二取付片２２に付け替えることで、種々の平型電線１００に対しても絶縁電線１１０同士を絶縁状態で容易に分離できる。第一本体部１１は、一部が分割片１１ｐで構成されており、この分割片１１ｐを外すことで露出される取付部１１ｆを備える。取付部１１ｆには刃部１５がボルト１５０ｂにより着脱自在に取り付けられる。そのため、刃部１５による突出量を容易に調整することができる。よって、平型電線１００の外形や大きさに対応した刃部１５に付け替えることで、種々の平型電線１００に対しても絶縁電線１１０同士を絶縁状態で容易に分離できる。また、刃部１５の切刃領域１５１は、頂点を挟む両側に第一切刃稜線１５１ａと第二切刃稜線１５１ｂとを備える先鋭状に構成されている。この場合、頂点を挟む両側の切刃稜線１５１ａ，１５１ｂのそれぞれを切断に用いることができる。よって、一方の切刃稜線１５１ａの切れ味が悪くなった際は、刃部１５の表裏をひっくり返すことで、他方の切刃稜線１５１ｂで絶縁電線１１０間を切断することができる。
【００５８】
本考案はこれらの例示に限定されるものではなく、実用新案登録請求の範囲によって示され、実用新案登録請求の範囲と均等の意味および範囲内でのすべての変更が含まれることが意図される。例えば、上述した実施形態において、以下の変更が可能である。
【００５９】
上述した実施形態では、第一溝部１４及び第二溝部２４が第一部材１０及び第二部材２０の長手方向に沿って設けられている形態を説明した。それ以外に、第一溝部１４及び第二溝部２４が第一部材１０及び第二部材２０の長手方向と直交する幅方向に沿って設けられていてもよい。
【符号の説明】
【００６０】
１  平型電線の分離装置
１０  第一部材
１０ａ  一端部、１０ｂ  他端部
１１  第一本体部、１１ｆ  取付部、１１ｐ  分割片
１２  第一取付片、  １４  第一溝部、１４０  拡幅領域
１５  刃部
１５０  取付領域、１５０ｂ  ボルト
１５１  切刃領域  １５１ａ  第一切刃稜線、１５１ｂ  第二切刃稜線 
１９  ボルト
２０  第二部材
２０ａ  一端部、２０ｂ  他端部
２１  第二本体部、２２  第二取付片
２４  第二溝部、２４０  拡幅領域
２５  凹部
２８  ボルト
３０  連結部、３１  回転軸、３２  突片
４０  弾性部材
１００  平型電線
１１０  絶縁電線、１１１  導体、１１２  絶縁層、１１３  外被
【図１】
0003222156.tif 000003
【図２】
0003222156.tif 000004
【図３】
0003222156.tif 000005
【図４】
0003222156.tif 000006
【図５】
0003222156.tif 000007
【図６】
0003222156.tif 000008
【図７】
0003222156.tif 000009